(57)【特許請求の範囲】
【請求項１】
一対の側面ガセットパネル部と、一対の該側面ガセットパネル部間を連設する前面パネル部及び背面パネル部とにより四側面が形成され、吊手部を有する上面パネル部と底面パネル部とにより上下面が形成され、複数個の圧縮された物品をその物品の圧縮面が上記側面ガセットパネル部に面接した状態で収容する略直方体形状の圧縮物品用包装袋に、
一方の上記側面ガセットパネル部を横断し且つ上記前面パネル部を通り上記上面パネル部の前面パネル部側に至る第１のミシン目又は断続的に設けられた切れ目と、該第１のミシン目又は断続的に設けられた切れ目と所定間隔をあけて上記第１のミシン目又は断続的に設けられた切れ目の下方において上記側面ガセットパネル部を横断し且つ上記前面パネル部を通り上記上面パネル部の上記前面パネル部側に至る第２のミシン目又は断続的に設けられた切れ目とが、それぞれ連続的に且つ互いに交差することなく形成されており、
上記第１のミシン目又は断続的に設けられた切れ目と上記第２のミシン目又は断続的に設けられた切れ目とは、上記上面パネル部においてＵ字状に連続していることを特徴とする開封部付圧縮物品用包装袋。
【発明の詳細な説明】
【０００１】
【発明の属する技術分野】
本発明は、開封部付圧縮物品用包装袋に関するものであり、より詳しくは、使い捨ておむつ、生理用品等の物品を圧縮状態で包装するプラスチック製バックで、開封操作が容易で、持ち運びの際に開封部が不用意に破断されることがなく、且つ開封操作により形成される開口部を介しての物品の取り出しが容易な、開封部付圧縮物品用包装袋に関するものである。
【０００２】
【従来の技術及び発明が解決しようとする課題】
一般に、紙オムツ、生理用品等は複数個のものを整列させた状態で圧縮し、圧縮状態で包装袋に収納されて搬送、販売される。そして、このような圧縮物品用包装袋にはその側面をガセット折りするチューブフィルム等を使用している。また圧縮物品用内装袋には、吊手や開封用のミシン目等が形成されている。
【０００３】
図４は、この様な従来の開封部付圧縮物品用包装袋１００を示すもので、開封部付圧縮物品用包装袋１００を形成する包装材は、前面パネル部１０２、背面パネル部及び一対の側面ガセットパネル部１０４，１０４（うち１つは図示せず）から上方に延設されており、前面パネル部１０２の延設部の縁端部と背面パネル部の延設部の縁端部とが互いに対面し且つこれらの間に側面ガセットパネル部１０４，１０４（うち１つは図示せず）の延長部を挟み込んだ状態で固着されており、前面パネル部１０２の延設部と背面パネル部の延設部とによって上面パネル部１０５が形成され、側面ガセットパネル部１０４，１０４（うち１つは図示せず）の延設部が上面パネル部１０５と側面ガセットパネル部１０４，１０４（うち１つは図示せず）との間に介在配置されてまち部１０５’，１０５’が形成されている。前面パネル部１０２の延設部の縁端部と背面パネル部の延設部の縁端部とには吊手開口部１０７を有する帯状の吊手部１０６が連設されている。この開封部付圧縮物品用包装袋１００には、圧縮された物品が、該物品の圧縮面を側面ガセットパネル部１０４，１０４（うち１つは図示せず）それぞれに面接された状態で収容されている。
【０００４】
そして前面パネル部１０２から上面パネル部１０５に跨がって、馬蹄形の開封用のミシン目１０８が形成されており、物品の取り出しに際しては、例えば、吊手開口部１０７を持って上面パネル部１０５のミシン目１０８の内側を上方から指で押すと、ミシン目１０８が容易に破断され、さらにミシン目１０８の内側（摘み形成部分）を持って上面パネル部１０５から前面パネル部１０２へ引っ張るとミシン目１０８を破断して開口部を形成させ、この開口部から物品を摘んで一枚毎に引き出すようになっている。
【０００５】
しかし上述のような従来の開封部付圧縮物品用包装袋１００では、側面ガセットパネル部１０４，１０４（うち１つは図示せず）による挟圧が高く維持されるため、物品の取り出しが容易ではない問題点がある。
【０００６】
このような問題を解決するために、開封用のミシン目を、側面ガセットパネル部からまち部にかけて馬蹄型に形成した開封部付圧縮物品用包装袋が提案されている（特開平２−１０９８５８号公報）。
しかし、このような開封部付圧縮物品用包装袋においては、まち部にミシン目が形成されているために、開封時に上面パネル部とまち部との間に指を入れてミシン目の破断を行う必要があり、開封操作を行いにくい問題点がある。また、側面ガセットパネル部には物品が押圧されているので、開封操作時に物品を傷つける可能性が高い問題点がある。更に、ミシン目を破断して形成される開口部の面積が狭く、物品取り出し時に物品が開口部周りに引っかかっる等、物品の取り出しがスムーズに行われない問題点がある。
【０００７】
また、従来の圧縮物品用包装袋として、側面ガセットパネル部及び前面パネル部に、これら側面ガセットパネル部と前面パネル部との間のコーナーを中央として一対の平行なミシン目を形成し、これらの一対のミシン目を上面パネル部において連続したものが提案されている（実開平７−２４７６４号公報）。
しかし、この様な従来の圧縮物品用包装袋においては、上面パネル部と側面パネル部との稜線上にミシン目が配置されているので、持ち運ぶ際に生じる張力がこの稜線ミシン目を破断する方向に作用してミシン目が破断され、袋の口が開いてしまう可能性が高い問題点がある。また、ミシン目を破断して形成される開口部の面積が狭く、更に、側面ガセットパネル部での挟圧解放が不十分で、物品の取り出し難さが残る問題点がある。
【０００８】
更に、本発明者は、開封部付圧縮物品用包装袋として、圧縮状態の包装袋からの物品の取り出しが容易な開封開口となり、しかもその開封が易開封となるものを提案している（特開平７−１８７１９７号公報）。
しかし、より一層容易に開封でき且つより一層容易に物品を取り出すことのできる開封部付圧縮物品用包装袋が望まれている。
【０００９】
従って、本発明の目的は、開封操作が容易であり、持ち運びの際に切断されることがなく、且つ開封操作により形成される開口部を介しての物品の取り出しが容易な、開封部付圧縮物品用包装袋を提供することにある。
【００１０】
【課題を解決するための手段】
本発明は、一対の側面ガセットパネル部と、一対の該側面ガセットパネル部間を連設する前面パネル部及び背面パネル部とにより四側面が形成され、吊手部を有する上面パネル部と底面パネル部とにより上下面が形成され、複数個の圧縮された物品をその物品の圧縮面が上記側面ガセットパネル部に面接した状態で収容する略直方体形状の圧縮物品用包装袋に、一方の上記側面ガセットパネル部を横断し且つ上記前面パネル部を通り上記上面パネル部の前面パネル部側に至る第１のミシン目又は断続的に設けられた切れ目と、該第１のミシン目又は断続的に設けられた切れ目と所定間隔をあけて上記第１のミシン目又は断続的に設けられた切れ目の下方において上記側面ガセットパネル部を横断し且つ上記前面パネル部を通り上記上面パネル部の上記前面パネル部側に至る第２のミシン目又は断続的に設けられた切れ目とが、それぞれ連続的に且つ互いに交差することなく形成されており、上記第１のミシン目又は断続的に設けられた切れ目と上記第２のミシン目又は断続的に設けられた切れ目とは、上記上面パネル部においてＵ字状に連続していることを特徴とする開封部付圧縮物品用包装袋を提供することにより、上記目的を達成したものである。
【００１１】
上記開封部付圧縮物品用包装袋に対する圧縮物品は、複数個を整列されてその包装袋内に収納してあり、各物品の列は一列に限らず、複数列を上下或いは左右に並列してある場合もある。
【００１２】
【作用】
本発明の開封部付圧縮物品用包装袋においては、吊手部を把持して上面パネル部と収容される物品との間に隙間を設け、上面パネル部の第１のミシン目又は断続的に設けられた切れ目と上記第２のミシン目又は断続的に設けられた切れ目との内側を上方から押して上面パネル部において第１のミシン目又は断続的に設けられた切れ目と上記第２のミシン目又は断続的に設けられた切れ目を破断し、破断された第１のミシン目又は断続的に設けられた切れ目と第２のミシン目又は断続的に設けられた切れ目の内側を摘んで引っ張って第１のミシン目又は断続的に設けられた切れ目と上記第２のミシン目又は断続的に設けられた切れ目を全長に亘って破断させる。これにより、開封部付圧縮物品用包装袋の隅部が容易に開放されて開口部が形成される。この状態で、圧縮物品は開口部より飛び出す形となり、物品を容易に取り出すことができる。また、開口部は開封部付圧縮物品用包装袋の隅部に形成されるので、吊手部への影響が少なく、開口部が形成された後でも良好な持ち運び性が保持される。
【００１３】
【発明の実施の形態】
以下、本発明に係る開封部付圧縮物品用包装袋の一実施形態をを添付図面に従って詳説する。
【００１４】
図１は本発明に係る開封部付圧縮物品用包装袋の一実施形態の斜視図であり、図２は図１の実施形態の開封部付圧縮物品用包装袋の開封途中の斜視図であり、図３は図１の実施形態の開封部付圧縮物品用包装袋の開封時の斜視図である。
【００１５】
図１及び図２に示す如く、本実施形態の開封部付圧縮物品用包装袋１は、一対の側面ガセットパネル部４，４（うち１つは図示せず）と、一対の該側面ガセットパネル部４，４（うち１つは図示せず）間を連設する前面パネル部２及び背面パネル部とにより四側面が形成されており、吊手部６を有する上面パネル部５と底面パネル部とにより上下面が形成され、複数個の圧縮された使い捨ておむつ１０，１０・・・をその圧縮面が側面ガセットパネル部４，４（うち１つは図示せず）に面接した状態で収容する略直方体形状の圧縮物品用包装袋に、一方の側面ガセットパネル部４を横断し且つ前面パネル部２を通り上面パネル部５の前面パネル部２側に至る第１のミシン目８と、第１のミシン目８と所定間隔をあけて第１のミシン目８の下方において一方の側面ガセットパネル部４を横断し且つ前面パネル部２を通り上面パネル部５の前面パネル部２側に至る第２のミシン目９とが、それぞれ連続的に且つ互いに交差することなく形成されており、第１のミシン目８と第２のミシン目９とは、上面パネル部５の前面パネル部２側においてＵ字状に連続されてなるものである。
【００１６】
本実施形態に係る開封部付圧縮物品用包装袋１を更に説明すると、図１及び図２に示す如く、開封部付圧縮物品用包装袋１には圧縮可能な物品である使い捨ておむつ１０，１０・・・が整列して収納される。使い捨ておむつ１０，１０・・・は整列方向から圧縮、即ち包装袋１の側面ガセットパネル部４，４（うち１つは図示せず）で挟圧され、その圧縮率は圧縮物品の種類にもよるが本実施形態に使い捨ておむつ１０においては５０％程度になっている。
【００１７】
前面パネル部２及び背面パネル部は側面ガセットパネル部４，４（うち１つは図示せず）の両端縁でそれぞれ接続或いは一体に形成されており、使い捨ておむつ１０，１０・・・はこれらの前面パネル部２、背面パネル部及び側面ガセットパネル部４，４（うち１つは図示せず）により四方を囲まれている。開封部付圧縮物品用包装袋１を形成する包装材は、前面パネル部２、背面パネル部及び一対の側面ガセットパネル部４，４（うち１つは図示せず）から上方及び下方に延設されており、前面パネル部２の延設部の縁端部と背面パネル部の延設部の縁端部とは、互いに対面し且つこれらの間に側面ガセットパネル部４，４（うち１つは図示せず）の延長部を挟み込んだ状態で固着されている。その結果、前面パネル部２の延設部と背面パネル部の延設部とによって上面パネル部５及び下面パネル（図示せず）が形成されて使い捨ておむつ１０，１０・・・の上下が覆われており、また、側面ガセットパネル部４，４（うち１つは図示せず）の延設部は、上面パネル部５の下方に配置されて、上面パネル部５と側面ガセットパネル部４，４（うち１つは図示せず）との間に介在配置されてまち部５’，５’が形成されている。
【００１８】
開封部付圧縮物品用包装袋１を形成する包装材としては、従来より、使い捨ておむつ等の開封部付圧縮物品用包装袋１の包装材として用いられているものを特に制限なく用いることができる。
【００１９】
また、前面パネル部２の延設部の縁端部と背面パネル部の延設部の縁端部とは互いに固着されたまま上面パネル部５から上方に張り出しており、帯状の吊手部６が形成されている。この吊手部６は、補強用のシートが重合されており、また端周縁が折り返されて腰の強い状態になっている。また、吊手部６の中央には楕円形状の吊手開口部７が形成されており、吊手部６を把持して開封部付圧縮物品用包装袋１を持ち運べるようになっている。
【００２０】
上記第１のミシン目８及び第２のミシン目９の配設位置は、圧縮物品の圧縮率、形状寸法及び袋内での圧縮物品の積層段数に左右されるが、第１のミシン目８は、好ましくは側面ガセットパネル部４においては側面ガセットパネル部４の上側５〜２０％の範囲に配設されているのがよく、第２のミシン目９は側面ガセットパネル部４においては側面ガセットパネル部４の上側３０〜８０％の範囲に配設されているのがよく、この範囲では物品を容易に取り出すことができる。
尚、本実施形態のように使い捨ておむつ１０，１０・・・を５０％程度の圧縮率にして、３段積層したときの第１のミシン目８の位置は、側面ガセットパネル部４においては側面ガセットパネル部４の上側５〜１０％の範囲が好ましく、第２のミシン目９の位置は、側面ガセットパネル部４においては側面ガセットパネル部４の上側２５〜３５％の範囲であることが好ましい。
【００２１】
また、上記第１のミシン目８の前面パネル部２の上端縁２ａ上の中間点Ｐ1 は、該上端縁２ａの一方の上記側面ガセットパネル部４との隣接端から前面パネル部２における横幅の５〜４５％の範囲内に形成されていることが好ましく、上記第２のミシン目９の前面パネル部２の上端縁２ａ上の中間点Ｐ2 は、該上端縁２ａの一方の上記側面ガセットパネル部４との隣接端から前面パネル部２における横幅の１０〜５０％の範囲内に形成されていることが好ましい。
更に、上記第１のミシン目８と上記第２のミシン目９の連続する頂点Ｐ3 は、前面パネル部２の上端縁２ａから上面パネル部５における上面幅の５〜９５％の範囲内に形成されていることが好ましく、第１のミシン目８及び第２のミシン目９は、一方の上記側面ガセットパネル部４からそれぞれの中間点Ｐ1 ，Ｐ2 をとおって頂点Ｐ3 まで、一方の上記側面ガセットパネル部４側に対して凹状に形成されていることが好ましい。
【００２２】
また、本実施形態の開封部付圧縮物品用包装袋１においては、上記第１のミシン目８及び上記第２のミシン目９は、側面ガセットパネル部４と背面パネル部との境界部に配置されている端部どうしが図示されない第３のミシン目を介して連続されている。この第３のミシン目は、側面ガセットパネル部４と背面パネル部との境界部上にほぼ直線状に配設されている。
【００２３】
次に、開封部付圧縮物品用包装袋１の開封操作について示すと、例えば、吊手開口部７を持って上面パネル部５と使い捨ておむつ１０，１０・・・との間に空間をつくり、上面パネル部の第１のミシン目と第２のミシン目の内側を上方から指で押すと、第１のミシン目８と第２のミシン目９が容易に破断され、第１のミシン目８及び第２のミシン目９の内側よりなるＵ字形の摘み部１ａが形成される。そして、この摘み部１ａを持って、図２に示す如く、前面パネル部２から側面ガセットパネル部４へと引っ張ると、第１のミシン目８及び第２のミシン目９が全長に亘って破断される。これに続いて、摘み部１ａを上方に引っ張り、第３のミシン目（図示せず）を切断させれば、図３に示すように、第１のミシン目８、第２のミシン目９及び第３のミシン目（図示せず）により囲まれた部分が離脱され、開封部付圧縮物品用包装袋１は、上面パネル部５から前面パネル部２を亘り側面ガセットパネル部４に至るように大きく開口される。この様に、本実施形態の開封部付圧縮物品用包装袋１においては、開封時に上面パネル部５とまち部５’，５’との間に指を入れずにミシン目を容易に切断して開封部付圧縮物品用包装袋１を開口することができる。
【００２４】
この状態においては、開口されていない開封部付圧縮物品用包装袋１の下部（第２のミシン目９よりも下方部分）には使い捨ておむつ１０，１０・・・の下部を拘束する圧縮力が残っており、使い捨ておむつ１０，１０・・・の落下が防止される。一方、開封部付圧縮物品用包装袋１の上部では挟力が開放されて使い捨ておむつ１０，１０・・・の拘束力が弱くなり、上部で使い捨ておむつ１０，１０・・・の間に隙間が生じて、開口部から使い捨ておむつ１０，１０・・・を容易に取り出すことが可能である。
更に、上述の状態においては、開口部が大きく、側面ガセットパネル部４が開口しているので、開口部から露出される使い捨ておむつ１０，１０・・・は背面パネル部のみと接触し、その使い捨ておむつ１０，１０・・・の引出し時の摩擦が少なく、使い捨ておむつ１０，１０・・・を容易に引き出すことができる。
また、本実施形態の開封部付圧縮物品用包装袋１は、第１のミシン目８、第２のミシン目９、第３のミシン目のいずれも、上面パネル部５と側面パネル部４との稜線上には配置されていないので、持ち運ぶ際に生じる張力がこの稜線にかかっても第１のミシン目８、第２のミシン目９及び第３のミシン目のいずれも切断されるおそれがない。
【００２５】
尚、本発明の開封部付圧縮物品用包装袋は、上述の実施形態に限定されるものではなく、本発明の趣旨を逸脱しない範囲において適宜変更可能である。
例えば、上記第１のミシン目又は第２のミシン目に替えて、断続的に設けられた容易に切り裂き可能な切れ目を形成させることもできる。
上記第３のミシン目は設けなくてもよい。
上記圧縮物品は、使い捨ておむつに限定されるものではなく、圧縮可能な物品であればよく、例えば、生理用ナプキン等とすることもできる。
【００２６】
【発明の効果】
本発明に係る開封部付圧縮物品用包装袋では、開封操作が容易であり、持ち運びの際に不用意に破断されることがなく、且つ開封操作により形成される開口部を介しての物品の取り出しが容易である。
【図面の簡単な説明】
【図１】本発明の一実施形態に係る開封部付圧縮物品用包装袋の斜視図である。
【図２】図１の実施形態の開封部付圧縮物品用包装袋の開封途中の状態を示す斜視図である。
【図３】本発明のその他の実施形態の開封部付圧縮物品用包装袋の開封時の斜視図である。
【図４】従来の開封部付圧縮物品用包装袋の斜視図である。
【符号の説明】
１    開封部付圧縮物品用包装袋
２    前面パネル部
２ａ  上端縁
４    側面ガセットパネル部
５    上面パネル部
５’  まち部
６    吊手部
７    吊手開口部
８    第１のミシン目
９    第２のミシン目
１０    使い捨ておむつ
【図１】
0003724931.tif 000002
【図２】
0003724931.tif 000003
【図３】
0003724931.tif 000004
【図４】
0003724931.tif 000005